(57)【特許請求の範囲】
【請求項１】
壁パネルの外面に空調機用の室外機が固定されると共に内面に室内機が固定されたユニットハウス用空調機一体型パネルにおいて、壁パネルの外面下端部側の室外機の下に支持台を設け、壁パネルの内外面の荷重が均等になる角度で自立した壁パネルを支持台で支持するように構成し、該支持台は、壁パネルの下端部側外面の左右に固定され、傾斜した壁パネルを自立状態で支持するように底面が傾斜した一対の傾斜体と、該傾斜体相互に架設され設置時の室外機を水平に載置固定する支持杆と、傾斜体の底面前後に配置されたキャスターとを備え、壁パネルを自立した状態で移動するように構成したことを特徴とするユニットハウス用空調機一体型パネル。
【請求項２】
前記キャスターは、前記傾斜体の内部に装着されたキャスター支持杆の長手両端部に装着され、該キャスター支持杆の一端部を前記傾斜体の前記壁パネル側に揺動自在に連結すると共に、該キャスター支持杆の他端部に角度調整杆を揺動自在に連結し、前記傾斜体の傾斜した底面から水平状態のキャスター支持杆が表出すると共に、垂直に立設した角度調整杆が前記傾斜体を水平に支持することで、傾斜した壁パネルを垂直に保つように構成した請求項１記載のユニットハウス用空調機一体型パネル。
【請求項３】
前記角度調整杆は、前記キャスター支持杆に一端部を揺動自在に連結され、他端部を前記傾斜体の下面に連結するように構成され、該角度調整杆の他端部に固定角度を変えた一対のネジ止め部を形成し、該ネジ止め部を選択して前記キャスター支持杆を前記傾斜体内に収納する位置と、前記キャスター支持杆の前記角度調整杆が前記傾斜体を水平に支持する位置とでネジ止めするように構成した請求項２記載のユニットハウス用空調機一体型パネル。
【発明の詳細な説明】
【技術分野】
【０００１】
本発明は、工場で生産し、現地で組み立てるユニットハウスの壁パネルとして使用するもので、エアコン等の空調機を予め壁パネルに装着したユニットハウス用空調機一体型パネルに関する。
【背景技術】
【０００２】
従来、この種のユニットハウスの壁パネルとして、当出願人が先に提案した空調機一体型パネルが特許文献１に記載されている。この空調機一体型パネルは、ユニットハウスに空調機を取付ける際に、空調機を取付けた壁パネルをユニット化することにより、空調機の取り付け作業を簡略化すると共に、壁パネルの再利用を可能にしたものである。
【０００３】
すなわち、ユニットハウスにおいて、壁パネルの内外面に空調機の室外機と室内機とを予め組み込むと共に、これら室外機と室内機とを冷媒配管及び電線コードにて予め接続して空調機用パネルユニットを構成したものである。
【０００４】
このような空調機用パネルユニットにより、現地での配管取出口の加工作業や配管作業が一切不要になり、空調機の取り付け作業を簡略化することができ、しかも、空調機ごと壁パネルの再利用が可能になっている。
【先行技術文献】
【特許文献】
【０００５】
【特許文献１】実用新案第３１６４７５０号公報
【発明の概要】
【発明が解決しようとする課題】
【０００６】
ところが、特許文献１に記載の空調機一体型パネルは、ユニットハウス用の壁パネルの内外面に、予め空調機の室外機と室内機とを組み込んだ構成になっているので、この壁パネル全体の重量が極めて重くなっている。この結果、空調機一体型パネルの移動作業が困難な作業になっていた。
【０００７】
すなわち、壁パネルの外面に室外機を装着し、内面に室内機を装着した構成であり、しかも、室内機は壁パネルの上部に配置することが多いので、壁パネルの重量バランスが特殊な状態になっていた。
【０００８】
そこで従来では、空調機一体型パネルの運搬を容易にするために、壁パネルの下端部にキャスターを装着し、このキャスターを利用して移動できるように構成していた。ところが、壁パネルの外面下部に固定した室外機と壁パネルの内面上部に固定した室内機とのバランスを取りながら移動する作業は思いの外困難な作業になっていた。
【０００９】
すなわち、移動時には、作業者が壁パネルを傾けて外面と内面との荷重が均等になる角度を維持しながら移動する作業になっている。ところが、移動時にバランスが取れている角度が僅かでもずれてしまうと、壁パネルに思わぬ荷重がかかることになり、移動時のバランスが大きく崩れる危険性があり、思わぬ荷重に作業者が振り回される虞もあった。
【００１０】
そこで本発明は上述の課題を解消すべく創出されたもので、ユニットハウス用の空調機一体型パネルを安全に移動することができ、ユニットハウス組立工程の作業効率を高めることができるユニットハウス用空調機一体型パネルの提供を目的とするものである。
【課題を解決するための手段】
【００１１】
上述の目的を達成すべく本発明における第１の手段は、壁パネル１の外面に空調機用の室外機Ｐが固定されると共に内面に室内機Ｑが固定されたユニットハウス用空調機一体型パネルにおいて、壁パネル１の外面下端部側の室外機Ｐの下に支持台２を設け、壁パネル１の内外面の荷重が均等になる角度で自立した壁パネル１を支持台２で支持するように構成し、前記支持台２は、前記壁パネル１の下端部側外面の左右に固定され、傾斜した前記壁パネル１を自立状態で支持するように底面が傾斜した一対の傾斜体４と、該傾斜体４相互に架設され設置時の前記室外機Ｐを水平に載置固定する支持杆５と、傾斜体４の底面前後に配置された前記キャスター３とを備え、壁パネル１を自立した状態で移動するように構成したことにある。
【００１３】
第２の手段の前記キャスター３は、前記の内部に装着されたキャスター支持杆６の長手両端部に装着され、該キャスター支持杆６の一端部を前記傾斜体４の前記壁パネル１側に揺動自在に連結すると共に、該キャスター支持杆６の他端部に角度調整杆7を揺動自在に連結し、前記傾斜体４の傾斜した底面から水平状態のキャスター支持杆６が表出すると共に、垂直に立設した角度調整杆７が前記傾斜体４を水平に支持することで傾斜した壁パネル１を垂直に保つように構成している。
【００１４】
第３の手段の前記角度調整杆７は、前記キャスター支持杆６に一端部を揺動自在に連結され、他端部を前記傾斜体４の下面に連結するように構成され、該角度調整杆７の他端部に固定角度を変えた一対のネジ止め部７Ａを形成し、該ネジ止め部を選択して前記キャスター支持杆６を前記傾斜体４内に収納する位置と、前記キャスター支持杆６の前記角度調整杆７が前記傾斜体４を水平に支持する位置とでネジ止めするように構成したものである。
【発明の効果】
【００１５】
本発明の請求項１によると、壁パネル１の外面下端部側の室外機Ｐの下に支持台２を設け、壁パネル１の内外面の荷重が均等になる角度で自立した壁パネル１を支持台２で支持するように構成し、壁パネル１を自立した状態で移動せしめるキャスター３を支持台２の下面に装着したことにより、空調機一体型パネルを極めて安全に移動することができるようになった。しかも、壁パネル１の取付け位置まで簡単に移動できるので、ユニットハウス組立工程の作業効率を高めることができる。
【００１６】
しかも、壁パネル１の下端部外面の左右に固定され、傾斜した前記壁パネル１を自立状態で支持するように底面が傾斜した一対の傾斜体４と、該傾斜体４相互に架設され設置時の前記室外機Ｐを水平に載置固定する支持杆５と、傾斜体４の底面前後に配置された前記キャスター３とを備えた支持台２を構成したことで、室外機Ｐの荷重を有効利用して壁パネル１をバランス良く自立させることができる。この結果、傾斜した自立状態で壁パネル１を支持しながら移動する際に、安定性の高い自立と移動を実現した。
【００１７】
請求項２のごとく、キャスター３は、傾斜体４の内部に装着されたキャスター支持杆６の長手両端部に装着され、該キャスター支持杆６の一端部を傾斜体４の壁パネル１側に揺動自在に連結すると共に、該キャスター支持杆６の他端部に角度調整杆7を揺動自在に連結し、傾斜体４の傾斜した底面から水平状態のキャスター支持杆６が表出すると共に、垂直に立設した角度調整杆７が傾斜体４を水平に支持することで、傾斜した壁パネル１を垂直に保つように構成しているので、ユニットハウスに組立てる前の壁パネル１を倉庫等に垂直状態で保管することが可能になる。したがって、使用前の壁パネル１を安定した状態で管理することができるものである。
【００１８】
請求項３によると、角度調整杆７は、キャスター支持杆６に一端部を揺動自在に連結され、他端部を傾斜体４の下面に連結するように構成され、該角度調整杆７の他端部に固定角度を変えた一対のネジ止め部７Ａを形成し、該ネジ止め部を選択してキャスター支持杆６を傾斜体４内に収納する位置と、キャスター支持杆６の角度調整杆７が支持杆５を水平に支持する位置とでネジ止めするように構成しているので、支持杆５が傾斜した状態と、支持杆５が水平状態になる位置とのいずれにおいても、簡単な操作で強固に固定することができる。
【００１９】
このように本発明によると、ユニットハウス用の空調機一体型パネルを安全に移動することができ、ユニットハウス組立工程の作業効率を高めることができるといった当初の目的を達成したものである。
【図面の簡単な説明】
【００２０】
【図１】本発明の一実施例を示す斜視図である。
【図２】本発明の一実施例を示す正面図である。
【図３】本発明を移動して装着する状態を示す側面図である。
【図４】本発明の支持台を示す側断面である。
【図５】本発明のキャスター支持杆と角度調整杆の動きを示す側断面である。
【図６】本発明の角度調整杆で支持板を支持した状態を示す側断面である。
【図７】本発明をユニットハウスに固定した状態を示す平断面図である。
【図８】本発明の保管状態を示す側面図である。
【発明を実施するための形態】
【００２１】
以下、本発明の実施の形態を説明する。本発明は、ユニットハウスの壁パネル１として使用されるもので、壁パネル１の外面に空調機用の室外機Ｐが装着されると共に内面に室内機Ｑが取り付けられている（図１参照）。更に、配線管Ｒの内部で電源及び冷媒管が接続されている（図２参照）。図示の壁パネル１は、窓枠１Ａが設けられた壁パネル１であり、この窓枠１Ａの下に室外機Ｐを設置し、窓枠１Ａの上に室内機Ｑを設置している（図１参照）。
【００２２】
この壁パネル１を移動する際に、壁パネル１の上端部が天井に当らないように傾斜した状態で移動する（図３参照）。このとき、壁パネル１に固定される室外機Ｐの下に支持台２を装着し、この支持台２で壁パネル１の内外面の荷重が均等になる角度で自立した状態の壁パネル１を支持するものである。更に、支持台２の下面にはキャスター３を装着してあり、このキャスター３によって自立状態を維持しながら壁パネル１を移動できるように構成している。
【００２３】
この支持台２は、キャスター３、傾斜体４、支持杆５、キャスター支持杆６、角度調整杆７が備えられたものである（図５参照）。
【００２４】
傾斜体４は、壁パネル１の下端部外面の左右に固定され（図２参照）、底面が傾斜した一対の支持部材である（図５参照）。この傾斜体４の傾斜した底面に沿って壁パネル１が傾斜すると、壁パネル１の内外面の荷重が均等になる角度で自立した状態になるように設定している（図４参照）。更に、この傾斜体４の底面前後にキャスター３を配置しており、傾斜体４の下方に突出するキャスター３が傾斜した壁パネル１を自立状態のまま移動できるように構成している（図３参照）。
【００２５】
支持杆５は、傾斜体４相互に架設される平行な一対の梁部材で、この支持杆５の上に室外機Ｐを載置固定し、この支持杆５を介して壁パネル１と室外機Ｐとを一体化している（図２参照）。一方、室内機Ｑは、壁パネル１の内面に直接固定する（図１参照）。
【００２６】
キャスター支持杆６は、傾斜体４の内部に装着された杆状部材で、一端部を傾斜体４の内部に揺動自在に連結し、傾斜体４の傾斜した底面からキャスター支持杆６が水平状態に表出するように設けている（図５参照）。このキャスター支持杆６の長手両端部にキャスター３を装着している。更に、このキャスター支持杆６の他端部に角度調整杆７を揺動自在に設けている。そして、このキャスター支持杆６の他端部から角度調整杆７を垂直に立設し、角度調整杆７にて傾斜体４を水平に支持すると、傾斜した壁パネル１を垂直に保つことができるものである（図６参照）。
【００２７】
この角度調整杆７は、キャスター支持杆６に一端部を揺動自在に連結された杆状部材であり、他端部を傾斜体４に連結するように構成している（図４参照）。更に、この角度調整杆７の他端部に固定角度を変えた一対のネジ止め部７Ａを形成し、該ネジ止め部を選択できるようにしたものである（図５参照）。そして、キャスター支持杆６を傾斜体４内に収納する位置と、キャスター支持杆６の角度調整杆７が支持杆５を水平に支持する位置とで、それぞれネジ止めするように構成している。
【００２８】
すなわち、一方のネジ止め部７Ａは、角度調整杆７の側面に傾斜した状態で設けてあり、傾斜体４が傾斜した位置で固定する（図４参照）。他方のネジ止め部７Ａは、角度調整杆７の長手端部に設けてあり、この長手端部を傾斜体４が水平状態になる位置で固定する（図６参照）。図示のネジ止め部７Ａは、固定用のナットを角度調整杆７に溶着したもので（図５参照）、このナットにネジ止めするボルト挿通孔を角度調整杆７と傾斜体４とに開穿したものである。
【００２９】
壁パネル１を移動する際は、キャスター支持杆６の底部が支持台２の傾斜した底部と平行になるように角度調整杆７を固定する（図４参照）。そうすると、キャスター支持杆６の下方にから突出したキャスター３が壁パネル１の内外面の荷重が均等になる角度で壁パネル１を支持することになる（図３参照）。そして、この角度のまま傾斜した自立状態で壁パネル１を移動する。更に、壁パネル１の装着位置に近づいたところで壁パネル１を垂直に立設し、壁パネル１の下端部を床梁１０上に載置し、壁パネル１の上端部に防水パッキン１２を介して屋根梁１１に装着する。
【００３０】
壁パネル１をユニットハウスに固定するには、壁パネル１の左右に形成した固定枠１Ｂをユニットハウスの間柱１３に形成したスリット１３Ａ内に挿入係止し、この状態で固定ボルト１４にて固定する（図７参照）。
【００３１】
また、ユニットハウスに組立てる前の壁パネル１を倉庫等に保管する場合には、キャスター支持杆６他端部から垂直に立設した角度調整杆７が支持杆５を水平に支持する（図８参照）。このように支持することで、壁パネル１を垂直に保つことができるので、ユニットハウスに組立てる前の壁パネル１を垂直状態で保管することができる。
【００３２】
尚、本発明における図示例の各構成は、本発明の一実施例に過ぎず、壁パネル１の形状やサイズ、室外機Ｐ若しくは室内機Ｑの形状やサイズ、取付け位置等は、本発明の要旨を逸脱しない範囲において自由に変更することができるものである。
【符号の説明】
【００３３】
Ｐ  室外機
Ｑ  室内機
Ｒ  配線管
１  壁パネル
１Ａ  窓枠
１Ｂ  固定枠
２  支持台
３  キャスター
４  傾斜体
５  支持杆
６  キャスター支持杆
７  角度調整杆
７Ａ  ネジ止め部
１０  床梁
１１  屋根梁
１２  防水パッキン
１３  間柱
１３Ａ  スリット
１４  固定ボルト
【図１】
0006306079.tif 000002
【図２】
0006306079.tif 000003
【図３】
0006306079.tif 000004
【図４】
0006306079.tif 000005
【図５】
0006306079.tif 000006
【図６】
0006306079.tif 000007
【図７】
0006306079.tif 000008
【図８】
0006306079.tif 000009